【事件の表示】
　特願２０１２−５００８２７号「タバコベースのニコチンエーロゾル発生システム」拒絶査定不服審判事件〔平成２２年　９月２３日国際公開、ＷＯ２０１０／１０７６１３、平成２４年　９月１０日国内公表、特表２０１２−５２０７３６号〕について、次のとおり審決する。
【結　論】
　本件審判の請求は、成り立たない。
【理　由】
第１　手続の経緯
　本願は、平成２２年３月９日（パリ条約による優先権主張　２００９年３月１７日（ＵＳ）アメリカ合衆国）を国際出願日とする出願であって、平成２６年１月２８日付けで拒絶査定がなされた。
　これに対し、平成２６年６月３日付けで拒絶査定不服審判が請求され、その後、平成２７年５月２２日付けで当審から拒絶の理由が通知され、同年１０月２１日に意見書とともに手続補正書が提出され、特許請求の範囲について補正がなされたものである。
第２　本願発明 
　本願の請求項１ないし１６に係る発明は、上記平成２７年１０月２１日提出の手続補正書によって補正された特許請求の範囲の請求項１ないし１６に記載された事項により特定されるとおりのものと認めるところ、その請求項１に係る発明は以下のとおりである。（以下請求項１に係る発明を「本願発明」という。） 
「【請求項１】
　被験者にニコチンを送達するための装置であって、
　ハウジング、
　を含み、
　前記ハウジングは、
　ａ）互いに連通した入口及び出口であって、ガス状担体が、該入口を通って前記ハウジングに入り、該ハウジングを通り、該出口を通って該ハウジングから出ることができるようになっており、装置が入口から出口までを含む入口及び出口と、
　ｂ）前記入口と連通し、ニコチンを含む粒子を形成するための化合物の供給源又は天然物ニコチン源のいずれかを含む第１の内部区域と、
　ｃ）前記第１の内部区域と連通し、段階ｂ）に列挙した他方の供給源を含む第２の内部区域と、
　ｄ）任意的に、前記第２の内部区域及び前記出口と連通する第３の内部区域と、
　を含み、
　前記天然物ニコチン源は、加熱されており、且つ、タバコと、アルカリ物質と、水とを含み、
　前記アルカリ物質は、酸化カルシウム、水酸化カルシウム、水酸化ナトリウム、炭酸水素ナトリウム、水酸化カリウム及び炭酸カリウムから構成された群から選択される、
　ことを特徴とする装置。」
第３　引用刊行物記載の発明 
　これに対して、当審での平成２７年５月２２日付けの拒絶の理由に引用された、本願の優先日前に頒布された刊行物である、国際公開第２００８／１２１６１０号（以下「刊行物１」という。）、特開平５−１８４６７５号公報（以下「刊行物２」という。）、及び特開平２−１９０１７８号公報（以下「刊行物３」という。）には、それぞれ以下の発明、あるいは技術事項が記載されていると認められる。
１　刊行物１
ア　刊行物１に記載された事項
　刊行物１には、「DEVICE AND METHOD FOR DELIVERY OF A MEDICAMENT」（薬剤を送給するための装置および方法）に関して、図面とともに以下の事項が記載されている。なお、括弧内の日本語は、刊行物１の日本語公表公報（特表２０１０−５３２６７２号公報）における翻訳文に準じた仮訳であり、その下線部は当審で付したものである。
（ア）「34. A device for delivering a medicament to a subject, the device comprising a housing, the housing comprising:
  an inlet and an outlet in communication with each other and adapted so that a gaseous carrier may pass into the housing through the inlet, through the housing and out of the housing through the outlet, the device comprising in series from inlet to outlet:
  a first internal area in communication with the inlet, the first internal areas comprising a delivery enhancing compound source,  a second internal area in communication with the first internal area, the second internal area comprising a nicotine or other medicament source, and
  optionally, a third internal area in communication with the second internal area.」（claim 34）
（【請求項３４】
　
被検者に薬剤を送給するための装置
ハウジング
ハウジング
　相互に連通した状態にある
インレットおよびアウトレット
インレットおよびアウトレット
　上記インレットと連通した状態にある
第１内部領域
送給増強化合物のソース
第１内部領域
　上記第１内部領域と連通した状態にある
第２内部領域
ニコチンまたは他の薬剤のソース
第２内部領域
　場合によって、前記第２内部領域と連通した状態にある
第３内部領域
を含んでいる、
薬剤送給用装置
（イ）「[0129] The methods described herein relate to a surprising discovery regarding the dose of nicotine obtained from nicotine delivery devices. The inventors have unexpectedly identified methods for increasing the dose of nicotine delivered to a subject by inhalation. The importance of this discovery lies in an improved ability to substitute for the nicotine delivery subjects experience while smoking cigarettes and similar tobacco products. With improved nicotine delivery profiles, subjects applying the methods described herein will be provided with superior nicotine replacement therapy during attempts at smoking cessation, harm reduction and/or substitution. With the continued global problem of smoking related health issues, the methods described herein address a critical need in medical efforts to assist smokers in quitting.」
（【０１２９】
　本明細書中で記載されている方法は、ニコチン送給装置から得られるニコチンの用量についての驚くべき発見に関係している。本発明者らは、思いがけなく、吸入によって被検者へ送給されるニコチンの用量を増大させるための方法を特定した。この発見の重要性は、
シガレットおよび同様なタバコ製品を喫煙している間に被検者が経験するニコチンの送給に取って代わる
（ウ）「[0137] Alternatively, the delivery enhancing compound forms a particulate aerosol, the particles of which may, for example, adsorb or absorb nicotine base. In particular embodiments, the particulate aerosol includes ammonium chloride salt particles. In embodiments comprising nicotine particle formation or nicotine adsorption/absorption onto particles the particles formed are preferably less than 6 microns, more preferably less than 5 microns or less than 1 micron in size.」
（【０１３７】
　代替的に、
本送給増強化合物は微粒子状のエアロゾルを形成し、それらの粒子が例えばニコチン塩基を吸着または吸収してもよい
ニコチン粒子の形成または粒子上へのニコチンの吸着／吸収
（エ）「[0139] Embodiments of a nicotine source use a compound comprising any chemical capable of providing a volatile form of nicotine such as nicotine base or nicotine salts (e.g. nicotine-HCl, -ditartrate). Although more than one form of nicotine can be used, free base nicotine is preferred. 」
（【０１３９】
　
ニコチンソース
揮発性形態のニコチン
（オ）「[0222] Directing attention to Figure 1, a device for the formation and delivery of a nicotine aerosol to a user according to an embodiment of the present invention is shown. Specifically, nicotine inhaler 10 having the size, shape, and appearance of a cigarette is shown. Nicotine inhaler 10 consists of housing 12, which has an elongated cylindrical shape and is hollow. To allow for a gaseous flow through inhaler 10, housing 12 contains gaseous inlet 14 and gaseous outlet 16 on opposing ends.
[0223] The portion of housing 12 between gaseous inlet 14 and gaseous outlet 16 is divided into three compartments capable of holding a first, second, and/or third substance. The first, second, or third substance can comprise a vapor forming medicament, such as nicotine.
[0224] As illustrated in Figure 2, nicotine inhaler 10 includes first compartment 18, second compartment 20, and third compartment 22. Nicotine, preferably in the free base form, may be placed in any of the three compartments. For example, nicotine can be placed within second compartment 20. A suitable delivery enhancing compound, such as an acid, is placed within first compartment 18. Any suitable acid can be used. For example, pyruvic acid can be placed within first compartment 18.」
（【０２２２】
　図１に注意を向けると、本発明の１つの実施形態により
ニコチンエアロゾルを形成し、使用者に送給するための装置
ハウジング１２
ハウジング１２は
ガスインレット１４およびガスアウトレット１６を含んでいる
【０２２３】
　
ガスインレット１４とガスアウトレット１６との間のハウジング１２の中間部分は
３つのコンパートメントに分かれている
ニコチンなどを形成する蒸気
【０２２４】
　図２に描かれているように、ニコチン吸入器１０は、
第１コンパートメント１８
第２コンパートメント２０
第３コンパートメント２２
ニコチン、好適には遊離塩基の形態のニコチンが、これら３つのコンパートメントのうちのいずれかに置かれてよい
（カ）「[0231] In operation, a user puffs on gaseous outlet 16 of nicotine inhaler 10, as shown in Figure 3. The partial vacuum created by the puffing action draws a gaseous stream into housing 12 through gaseous inlet 14. The gaseous stream enters first compartment 18 and captures a vapor of the acid by passing over the pyruvic acid source element held in first compartment 18. The gaseous stream that exits first compartment 18 and subsequently enters second compartment 20 is an acid-containing gaseous stream. The acid-containing gaseous stream generates a stream of nicotine-containing particles by passing over the nicotine held by the nicotine source element in second compartment 20. The stream of nicotine-containing particles passes through third compartment 22 and exits through gaseous outlet 16 into the mouth of the user.」
（【０２３１】
　使用する際、図３に示されているように、使用者はニコチン吸入器１０の
ガスアウトレット１６
ガスインレット１４
ハウジング１２
第１コンパートメント１８
第１コンパートメント１８
第１コンパートメント１８
第２コンパートメント２０
この酸含有ガス流は、第２コンパートメント２０内のニコチンソースエレメントによって保持されているニコチン上を通ることにより、ニコチン含有粒子の流れを発生させる
第３コンパートメント２２を通過し、ガスアウトレット１６から出て
（キ）「[0256] INDUSTRIAL APPLICABILITY
 [0257] The methods and devices herein are useful for the therapeutic delivery of nicotine for smoking cessation, harm reduction and/or substitution. In addition, the devices and methods herein are useful as an alternative, general nicotine delivery system in place of tobacco based products. The methods and devices herein are further useful for the delivery of other medicaments as described herein.」
（【０２５６】
　［産業上の利用可能性］
【０２５７】
　ここで開示されている方法および装置は、喫煙の中止、危害の低減および／または代用を目的としたニコチンの治療的な送給に有用である。これに加え、ここで開示されている装置および方法は、
タバコをベースとした製品の代わりの代替的な一般ニコチン送給システムとしても有用である
イ　刊行物１発明
 
（ク）上記記載事項（ア）の「被検者に薬剤を送給するための装置」及び「薬剤送給用装置」について、上記記載事項（イ）及び（オ）ないし（キ）に照らすと、「被検者にニコチンを送給するための装置」であると認められる。
（ケ）上記記載事項（ア）の「第３内部領域」について、上記記載事項（オ）及び（カ）並びに図２及び３の図示内容に照らすと、第２内部領域ないし第２コンパートメント２０とともに、アウトレットないしガスアウトレット１６と連通した状態にあるものと認められる。
（コ）上記記載事項（エ）の「ニコチンソース」は、上記記載事項（カ）の「ニコチンソースエレメント」に相当するものであって、上記記載事項（エ）及び（オ）からみて、「遊離塩基ニコチン」といった「揮発性形態のニコチン」を含むものであると認める。
　そこで、上記記載事項（ア）ないし（キ）並びに上記認定事項（ク）ないし（コ）を、技術常識を踏まえ本願発明に照らして整理すると、刊行物１には以下の発明が記載されていると認める。（以下「刊行物１発明」という。）
「被検者にニコチンを送給するための装置であって、
　ハウジング１２、
　を含み、
　該ハウジング１２は、
　相互に連通した状態にあるインレット１４及びアウトレット１６であって、ガス状担体が、前記インレット１４を通って前記ハウジング１２に入り、該ハウジング１２を通り、該アウトレット１６を通って該ハウジング１２から出ることができるようになっており、装置がインレット１４からアウトレット１６までを含むインレット１４及びアウトレット１６と、
　前記インレット１４と連通し、送給増強化合物のソースを含む第１内部領域１８と、
　前記第１内部領域１８と連通し、ニコチンソースを含む第２内部領域２０と、
　場合によって、前記第２内部領域２０及び前記アウトレット１６と連通する第３内部領域２２と
を含み、
　前記ニコチンソースは、揮発性形態のニコチンを含む、装置。」
２　刊行物２
ア　刊行物２に記載された事項
　刊行物２には、「電気化学的熱源を備えた喫煙物品」に関して、図面とともに以下の事項が記載されている。なお、下線部は当審で付したものである。
（ア）「【０００１】
【産業上の利用分野】本発明は、
シガレット（紙巻タバコ）
タバコ材を加熱してタバコ香味又はタバコ香味付エアゾールを発生させる
（イ）「【００１６】
タバコ材は、その香味物質が喫煙中に受ける上記温度で迅速に揮発するように加工又は何らかの処理を施す
熱源の構成成分間の相互作用は、タバコ材を加熱するのに十分な熱を供給し、タバコ材からタバコ香味及びその他の香味料を揮発させる
（ウ）「【００２２】
【実施例】
図１は、本発明の一実施例によるシガレット９を示す
タバコ材のロール（以下、単に「タバコ材」とも称する）１１内には、熱チャンバー２０を配置
（エ）「【００２３】
熱チャンバー２０内に
熱源３５を挿入する
熱源３５は
熱チャンバー２０内に保持する
（オ）「【００２６】
図２に示されたシガレット５９
熱源６０
図２は、熱源６０を熱チャンバー２０内に嵌合させる態様を示す
（カ）「【００２７】
本発明の喫煙物品の熱源
電気化学的相互作用
（キ）「【００２８】本発明の好ましい熱源は、その構成成分の
電気化学的相互作用
発生する熱が、タバコ材の適正な量の香味成分を揮発させる
タバコ材自体のもつ香味成分、並びにタバコ材に添加されタバコ材によって担持されている香味成分の
揮発
（ク）「【００４９】・・・
電解質のための溶媒
電気化学的相互作用を開始
好ましい溶媒は、水である
熱源の構成成分と水との接触は、いろいろな態様で行う
図１１に示されるように、熱チャンバー２０内に熱源６０の他の構成成分とは別個に収容した破断自在のカプセル１２０のような容器内に水を入れておき、水を熱源６０の他の成分に接触させたいときカプセル１２０を破って水を出すようにしてもよい
（ケ）「【００５７】
本発明の喫煙物品又はシガレット
いろいろな形態のタバコ材を用いる
タバコの種類
バーレー種
マリーランド種
刻みタバコ材補充料
裁刻片から成る補充料
任意の形態のタバコ材
刻みタバコ材補充料
タバコ薄片
（コ）「【００５８】タバコ材抽出物を用いる場合は、通常、タバコ材抽出物を
タバコ材
タバコ薄片
基材
炭酸水素ナトリウム又は炭酸カリウムで処理されたタバコ材のように、熱を加えられると、容易にその香味成分を放出する加工タバコ材は、基材として特に好ましい
（サ）「【００５９】
揮発性タバコ香味を放出するのを助成するために
アルカリ性の多孔質材上に適用する
（シ）「【００６３】本発明において特に有用なタバコ煙香味剤は、
天然タバコ、例えばバーレー種タバコ
マリーランド種タバコ
（ス）「【請求項４１】  前記タバコ材は、その
タバコ材中のニコチン及び香味の揮発温度を低下させるように処理
イ　刊行物２事項
　上記記載事項（ア）ないし（ス）を、図面を参照しつつ、技術常識を踏まえて整理すると、刊行物２には以下の事項が記載されていると認める。（以下「刊行物２事項」という。） 
「タバコ材と前記タバコ材を加熱する熱源を有するシガレットにおいて、タバコの種類として天然タバコを使用し、前記タバコ材中のニコチンの揮発ないし放出を容易にするために、炭酸水素ナトリウム又は炭酸カリウムで処理されたタバコ材を用いるとともに、水を前記熱源と接触させるように構成したこと。」
３　刊行物３
ア　刊行物３に記載された事項
　刊行物３には、「無煙たばこ」に関して、図面とともに以下の事項が記載されている。なお、下線部は当審で付したものである。
（ア）「〔産業上の利用分野〕
　本発明は煙を生じることなく、たばこを賞味できる無煙たばこに関する。」（第１ページ右欄第７〜９行）
（イ）「本発明ではたばこを賞味するための手段として、エアロゾル吸入ではなく、たばこ乾留香料を気化させて吸入する方法を採用した。また、
たばこ成分の気化を促進
　即ち、本発明による無煙たばこは、・・・前記
たばこ香料溶液はたばこ乾留香料を含有し、且つｐＨ７．２〜ｐＨ８．６に調節されている
（ウ）「本発明に用いる
たばこ乾留香料
たばこ葉
乾留を行なう
　本発明における
たばこ乾留香料溶液
たばこ乾留香料
溶媒に溶解
（エ）「本発明において、
たばこ乾留香料溶液を上記のｐＨ値に調節するためのｐＨ調節剤としては
酸のナトリウム塩、カリウム塩、或いは水酸化ナトリウム、炭酸水素ナトリウム等から任意に選択したものを用いる
（オ）「〔作　用〕
　本発明の無煙たばこは、
たばこ乾留香料溶液からたばこ成分を気化させ
　また、
本発明におけるたばこ乾留香料溶液はｐＨ７．２〜ｐＨ８．６に調節されているため、多くはアミン類であるたばこ成分、特にニコチンの気化が促進される
イ　刊行物３事項
　上記記載事項（ア）ないし（オ）を、技術常識を踏まえて整理すると、刊行物３には以下の事項が記載されていると認める。（以下「刊行物３事項」という。）
「無煙たばこにおいて、たばこ乾留香料溶液からのニコチンの気化を促進するために、前記たばこ乾留香料溶液をｐＨ７．２〜ｐＨ８．６に調節するためのｐＨ調整剤として、キト酸、リンゴ酸、クエン酸、酒石酸、アスコルビン酸、リン酸、及びこれらの酸のナトリウム塩、カリウム塩、或いは水酸化ナトリウム、炭酸水素ナトリウム等から任意に選択したものを用いること。」
第４　対比
　本願発明と刊行物１発明とを対比する。
　刊行物１発明の「被検者」は、本願発明の「被験者」に相当し、以下、刊行物１発明の「送給」、「相互に連通した」、「インレット１４」、「アウトレット１６」、「第１内部領域１８」、「第２内部領域２０」、「場合によって」、「第３内部領域２２」は、それぞれ、本願発明の「送達」、「互いに連通した」、「入口」、「出口」、「第１の内部区域」、「第２の内部区域」、「任意的に」、「第３の内部区域」に相当する。
　また、刊行物１発明の「送給増強化合物のソース」は、上記第３の１ア記載事項（ウ）及び（カ）に照らせば、微粒子状エアロゾルの粒子がニコチン塩基を吸着ないし吸収することで、ニコチン含有粒子を形成するものであるから、本願発明の「ニコチンを含む粒子を形成するための化合物の供給源」に相当する。
　さらに、刊行物１発明の「ニコチンソース」は、「ニコチン源」である限りにおいて、本願発明の「天然物ニコチン源」と共通する。
　そうすると、本願発明と刊行物１発明とは、以下の点で一致し、かつ相違する。
１　一致点
「被験者にニコチンを送達するための装置であって、
　ハウジング、
　を含み、
　前記ハウジングは、
　ａ）互いに連通した入口及び出口であって、ガス状担体が、該入口を通って前記ハウジングに入り、該ハウジングを通り、該出口を通って該ハウジングから出ることができるようになっており、装置が入口から出口までを含む入口及び出口と、
　ｂ）前記入口と連通し、ニコチンを含む粒子を形成するための化合物の供給源を含む第１の内部区域と、
　ｃ）前記第１の内部区域と連通し、ニコチン源を含む第２の内部区域と、
　ｄ）任意的に、前記第２の内部区域及び前記出口と連通する第３の内部区域と、
　を含む、装置。」
２　相違点
（１）相違点１
　
　本願発明のニコチン源は、天然物ニコチン源であって、加熱されており、且つ、タバコと、アルカリ物質と、水とを含むものであり、前記アルカリ物質は、酸化カルシウム、水酸化カルシウム、水酸化ナトリウム、炭酸水素ナトリウム、水酸化カリウム及び炭酸カリウムから構成された群から選択されるのに対して、
　刊行物１発明のニコチン源は、ニコチンソースであって、揮発性形態のニコチンを含むものの、加熱され、タバコ、アルカリ物質及び水を含む旨の限定は付されていない点。
（２）相違点２
　本願発明は、第１の内部区域がニコチンを含む粒子を形成するための化合物の供給源又は天然物ニコチン源のいずれかを含むとともに、第２の内部区域が「段階ｂ）に列挙した他方の供給源」を含むのに対して、
　刊行物１発明は、第１内部領域１８が送給増強化合物のソースを含むとともに、第２内部領域２０がニコチンソースを含む点。
第５　相違点の検討
１　相違点１について
　刊行物１発明は、「被検者にニコチンを送給するための装置」であって、その「ニコチンソース」は「揮発性形態のニコチンを含む」ものであるところ、「シガレットおよび同様なタバコ製品を喫煙している間に被検者が経験するニコチンの送給に取って代わる能力が改善される」（上記第３の１ア記載事項（イ））及び「タバコをベースとした製品の代わりの代替的な一般ニコチン送給システムとしても有用である」（上記第３の１ア記載事項（キ））に照らせば、シガレットないしタバコ製品の「代替品」として用いることが予定されている。
　すなわち、刊行物１発明は、喫煙の目的を達成するために喫煙者にニコチンを送達する道具という点において、シガレットないしタバコ製品と共通するということがいえる。そうすると、刊行物１発明において、シガレットないしタバコ製品の技術事項を適用することは、当業者であれば格別の困難性はないというべきである。
　そこで、シガレットないしタバコ製品に関する技術事項である、刊行物２事項及び刊行物３事項の刊行物１発明への適用について検討するに、刊行物２事項は、相違点１に係る本願発明の特定事項のうち、「天然物ニコチン源であって、加熱されており、且つ、タバコと、アルカリ物質と、水とを含むものであり、前記アルカリ物質は、炭酸水素ナトリウム又は炭酸カリウムから選択される」点で一致するということができる。
　そして、刊行物２事項及び刊行物３事項に接した当業者は、ニコチン源の態様が、天然タバコそのものであるのか、天然タバコに乾留や溶媒への溶解といった処理を施したものであるのかの違いがあるとしても、ニコチン源に含まれる特定のアルカリ物質は、ニコチンの揮発を容易にする作用を有するものであり、かかるアルカリ物質として、特定の酸のナトリウム塩及びカリウム塩、水酸化ナトリウム、炭酸水素ナトリウム、炭酸カリウム等から任意に選択するということを理解することができる。
　一方、一般的に、シガレットないしタバコ製品の添加剤としての、酸化カルシウム、水酸化カルシウム及び水酸化カリウムは、従来周知の技術事項である（例えば、酸化カルシウムにつき、特表２００５−５２２２０６号公報の段落【０００２】を、水酸化カルシウムにつき、国際公開第２００４／０９１３２５号の第５ページ第１３〜１６行を参照）。
　してみれば、刊行物１発明において、揮発性形態のニコチンを含むニコチンソースに代えて、刊行物２事項の「天然物ニコチン源」を採用することは、上記のとおり、刊行物２事項も「喫煙の目的を達成するために喫煙者にニコチンを送達する道具」という点で刊行物１発明と共通すること、刊行物２事項の「天然物ニコチン源」もニコチンを揮発する点で刊行物１発明のニコチンソースとその作用が共通することを踏まえれば、当業者にとって容易に想到し得たことである。
　そして、この場合において、刊行物３事項及び上記従来周知の技術事項を踏まえて、「天然物ニコチン源」に含まれるアルカリ物質として、酸化カルシウム、水酸化カルシウム、水酸化ナトリウム、炭酸水素ナトリウム、水酸化カリウム及び炭酸カリウムから構成された群から選択されるようにし、もって、相違点１に係る本願発明の特定事項とすることも、当業者にとって容易である。
２　相違点２について
　刊行物１には、「ニコチン吸入器１０は、第１コンパートメント１８、第２コンパートメント２０、および第３コンパートメント２２を含んでいる。ニコチン、好適には遊離塩基の形態のニコチンが、これら３つのコンパートメントのうちのいずれかに置かれてよい。」（上記第３の１ア記載事項（オ））と記載されており、刊行物１発明のニコチンソースを第２内部領域２０に代えて第１内部領域１８に配置することが示唆されている。
　したがって、刊行物１発明において、当該示唆に基づき、ニコチンソースを第１内部領域１８又は第２内部領域２０のいずれかに選択的に配置すること、これに伴い、送給増強化合物のソースも第１内部領域１８又は第２内部領域２０のうち、ニコチンソースが配置されていない他方の領域に選択的に配置することとし、もって、相違点２に係る本願発明の特定事項とすることは、当業者にとって容易に想到し得たことである。
　そして、これらの相違点を総合的に勘案しても、本願発明の奏する作用効果は、刊行物１発明、刊行物２事項、刊行物３事項及び従来周知の技術事項の奏する作用効果から予測される範囲内のものにすぎず、格別顕著なものということはできない。
３　請求人の主張について
 
　請求人は、平成２７年１０月２１日付け意見書において、刊行物１は、タバコをベースとした製品の代わりの代替的な一般ニコチン送給システムとしても有用であることを教示しており（上記第３の１ア記載事項（キ））、シガレットおよび同様なタバコ製品を喫煙している間に被験者が経験するニコチンの送給にとって代わることを教示している（上記第３の１ア記載事項（イ））ところ、これらの教示は、タバコを含む天然物ニコチン源を使用することとは相反する事項を教示するものであり、刊行物１の「精製ニコチン」ソースを天然物ニコチン源と置き換えることは、当業者が容易に想到し得ることではない旨主張している。（意見書４．（ｉｉｉ）（ｂ）（ｅ）項）
　しかしながら、請求人が指摘する刊行物１の記載箇所は、上記１で検討したとおり、刊行物１発明がシガレットないしタバコ製品の「代替品」として用いることが予定されていることを教示するものであっても、刊行物１発明のニコチンソースを天然物ニコチン源と置き換えることとは相反することを教示するようなものでないことは、記載内容に照らせば明らかである。
　よって、請求人の主張には理由がない。
４　小括
　したがって、本願発明は、刊行物１発明、刊行物２事項、刊行物３事項及び従来周知の技術事項に基づいて、当業者が容易に発明をすることができたものである。
第６　むすび
　以上のとおり、本願発明は、刊行物１発明、刊行物２事項、刊行物３事項及び従来周知の技術事項に基づいて、当業者が容易に発明をすることができたものであって、特許法第２９条第２項の規定により特許を受けることができないから、本願は拒絶されるべきである。 
　よって、結論のとおり審決する。